(57)【要約】【課題】赤（Ｒ），緑（Ｇ），青（Ｂ）の３色の蛍光体の発光特性に対応する最適な陰極電流が得られ、発光輝度の制御及び輝度向上を実現可能とする。【解決手段】制御電極を構成する帯状電極素子ＭＲＧは、蛍光体の赤（Ｒ）色発光に対応する電子通過孔ＥＨＬＲの開孔径をφＧＲとし、同様に緑（Ｇ）色発光に対応する電子通過孔ＥＨＬＧの開孔径をφＧＧとし、さらに青（Ｂ）色発光に対応する電子通過孔ＥＨＬＢの開孔径をφＧＢとしたときに、赤（Ｒ），緑（Ｇ），青（Ｂ）の各色毎に対応する開孔径の大きさをそれぞれφＧＧ＞φＧＲ、φＧＢ＞φＧＲとなる関係を有して形成することにより、蛍光体のＲ（赤），Ｇ（緑），Ｂ（青）各色毎に比視感度／蛍光体の発光効率に対応した適切な陰極電流が得られるので、蛍光体の赤（Ｒ），緑（Ｇ），青（Ｂ）各色毎に駆動条件を変更させることなく、単一の駆動条件で各色毎に適切な陰極電流が得られる。【選択図】        図２
2004253300.tif 000002
【特許請求の範囲】
【請求項１】
陽極及び蛍光体を内面に有して一方向とこの一方向に直交する他方向にそれぞれ平行する各二辺を有する表示領域を形成する前面基板と、
前記一方向に延在し前記他方向に並設され、かつ電子源を有する複数の陰極配線と、少なくとも前記表示領域内で前記陰極配線と非接触で交差し、かつ前記他方向に延在し前記一方向に並設されて前記陰極配線との交差部に画素を形成して前記電子源から放出する電子を前記前面基板側に通過させる電子通過孔を少なくとも１個有する互いに独立した複数の帯状電極素子を平行配列した制御電極とを内面に有して前記前面基板と所定の間隔を持たせて対向配置した背面基板と、
前記表示領域を周回して前記前面基板と前記背面基板との間に介挿され、前記所定の間隔を保持する封止枠体と、
を備え、
前記制御電極は、帯状電極素子の各電子通過孔が前記蛍光体の赤，緑，青の各発光色毎に開孔面積を異ならせたことを特徴とする画像表示装置。
【請求項２】
陽極及び蛍光体を内面に有して一方向とこの一方向に直交する他方向にそれぞれ平行する各二辺を有する表示領域を形成する前面基板と、
前記一方向に延在し前記他方向に並設され、かつ電子源を有する複数の陰極配線と、少なくとも前記表示領域内で前記陰極配線と非接触で交差し、かつ前記他方向に延在し前記一方向に並設されて前記陰極配線との交差部に画素を形成して前記電子源から放出する電子を前記前面基板側に通過させる電子通過孔を少なくとも１個有する互いに独立した複数の帯状電極素子を平行配列した制御電極と、前記制御電極と非接触で対向し、かつ前記帯状電極素子の各電子通過孔とそれぞれ対向する領域に前記帯状電極素子の各電子通過孔を通過した電子を通過させる複数の電子通過孔を有し、当該電子通過孔を通過する電子を前記前面基板の内面側に加速させる加速電極とを内面に有して前記前面基板と所定の間隔を持たせて対向配置した背面基板と、
前記表示領域を周回して前記前面基板と前記背面基板との間に介挿され、前記所定の間隔を保持する封止枠体と、
を備え、
前記制御電極は、帯状電極素子の各電子通過孔が前記蛍光体の赤，緑，青の各発光色毎に開孔面積を異ならせたことを特徴とする画像表示装置。
【請求項３】
前記電子通過孔の開孔面積が前記蛍光体の赤，緑，青の各色毎に緑＞赤，青＞赤であることを特徴とする請求項１または請求項２に記載の画像表示装置。
【発明の詳細な説明】
【０００１】
【発明の属する技術分野】
本発明は、真空中への電子放出を利用した画像表示装置に係わり、特に蛍光体の赤（Ｒ），緑（Ｇ），青（Ｂ）の３色毎に比視感度／蛍光体発光効率に対応して適切なカソード電流が得られる制御電極を構成する電子通過孔の開孔構造に関するものである。
【０００２】
【従来の技術】
近年、高輝度，高精細に優れた画像表示装置として従来からカラー陰極線管が広く用いられている。しかし、近年の情報処理装置やテレビ放送の高画質化に伴い、高輝度，高精細の特性を有するとともに、軽量，省スペースの平板状ディスプレイ（パネルディスプレイ）の要求が高まっている。
【０００３】
その典型的な例としては、液晶表示装置，プラズマディスプレイ表示装置などが実用化されている。また、特に高輝度化が可能なものとしては、電子源から真空中への電子放出を利用した表示装置（以下、電子放出型表示装置または電界放出型表示装置と称される。以下、ＦＥＤと称する）及び低消費電力化を特徴とする有機ＥＬディスプレイなど種々の型式のパネル型表示装置が実用化されている。
【０００４】
このようなパネル型表示装置のうち、特にＦＥＤとしてＣ．Ａ．Ｓｐｉｎｄｔらにより発案された電子放出構造を有するもの、また、メタル−インシュレータ−メタル（ＭＩＭ）型の電子放出構造を有するもの、また、量子論的トンネル効果による電子放出現象を利用する電子放出構造（表面伝導型電子源とも称される）を有するもの、さらには、ダイアモンド膜やグラファイト膜、カーボンナノチューブによる電子放出現象を利用するもの等が知られている。
【０００５】
ＦＥＤは、内面に電界放出型の電子源を有する陰極配線と制御電極とを形成した背面基板と、この背面基板と対向する内面に陽極と蛍光体とを形成した前面基板とを有し、両者の内周縁に封止枠を介挿して貼り合わせ、その内部を真空状態にして構成される。また、背面基板と前面基板との間の間隔を所定値に保持するために当該背面基板と前面基板との間に間隔保持部在を設けている構造もある。なお、この種の従来技術に関しては、例えば下記特許文献１及び特許文献２などを挙げることができる。
【０００６】
【特許文献１】
特開平１０−１３４７０１号公報
【特許文献２】
特開２０００−３０６５０８号公報
【０００７】
【発明が解決しようとする課題】
ＦＥＤでは、背面基板上の陰極配線に設けた電子源と前面基板上に設けた陽極との間に電子通過孔を有する制御電極を設け、制御電極に陰極配線に対して所定の電位差を与えることにより、電子源から電子を引き出し、この電子を制御電極の電子通過孔を通過させ、陽極側の蛍光体に射突させることにより画像表示が行われる。
【０００８】
しかしながら、このように構成される画像表示装置において、蛍光体は、赤（Ｒ），緑（Ｇ），青（Ｂ）の各色毎に発光効率及び発光輝度比がそれぞれ互いに著しく異なっている。一方、制御電極を構成する各帯状電極素子の電子通過孔は、生産性の向上の観点から蛍光体の各色共に同一開孔径を有して形成されている。このために表示画面上においては、蛍光体の各色毎にほぼ同等の発光輝度を得る必要性から、蛍光体の各色毎の陰極電流比に応じて各陰極配線毎に駆動電圧及び最大パルス幅などの駆動条件を各色に対応して駆動回路にて個々に調整していたので、生産工数を増大させ、表示装置のスループットを低下させるという問題があった。従来、このような観点から蛍光体の各色毎に異なる発光特性と電子通過孔の開孔径（開孔面積）との関係について考慮がなされたものは知られていない。
【０００９】
したがって、本発明は、前述した従来の課題を解決するためになされたものであり、その目的は、制御電極の電子通過孔の開孔面積を規定することにより、赤（Ｒ），緑（Ｇ），青（Ｂ）の３色の蛍光体の発光特性に対応する最適な陰極電流が得られ、発光輝度の制御及び輝度向上を実現可能とする画像表示装置を提供することにある。
【００１０】
【課題を解決するための手段】
このような目的を達成するために本発明による画像表示装置は、陽極及び蛍光体を内面に有して一方向とこの一方向に直交する他方向にそれぞれ平行する各二辺を有する表示領域を形成する前面基板と、一方向に延在し他方向に並設され、かつ電子源を有する複数の陰極配線と少なくとも表示領域内で陰極配線と非接触で交差し、かつ他方向に延在し一方向に並設されて陰極配線との交差部に画素を形成して電子源から放出する電子を前面基板側に通過させる電子通過孔を少なくとも１個有する互いに独立した複数の帯状電極素子を平行配列した制御電極とを内面に有して前面基板と所定の間隔を持たせて対向配置した背面基板と、表示領域を周回して前面基板と背面基板との間に介挿され、所定の間隔を保持する封止枠体とを有し、制御電極は、帯状電極素子の各電子通過孔が蛍光体の赤，緑，青の各発光色毎に開孔面積を異ならせて構成するものである。
【００１１】
また、本発明による他の画像表示装置は、陽極及び蛍光体を内面に有して一方向とこの一方向に直交する他方向にそれぞれ平行する各二辺を有する表示領域を形成する前面基板と、一方向に延在し前記他方向に並設され、かつ電子源を有する複数の陰極配線と少なくとも表示領域内で陰極配線と非接触で交差し、かつ他方向に延在し一方向に並設されて陰極配線との交差部に画素を形成して電子源から放出する電子を前面基板側に通過させる電子通過孔を少なくとも１個有する互いに独立した複数の帯状電極素子を平行配列した制御電極とこの制御電極と非接触で対向し、かつ帯状電極素子の各電子通過孔とそれぞれ対向する領域に帯状電極素子の各電子通過孔を通過した電子を通過させる複数の電子通過孔を有し、当該電子通過孔を通過する電子を前面基板の内面側に加速させる加速電極とを内面に有して前面基板と所定の間隔を持たせて対向配置した背面基板と、表示領域を周回して前記前面基板と前記背面基板との間に介挿され、前記所定の間隔を保持する封止枠体とを有し、制御電極は、帯状電極素子の各電子通過孔が蛍光体の赤，緑，青の各発光色毎に開孔面積を異ならせて構成するものである。
【００１２】
上述した本発明の構成により、望ましくは電子通過孔の開孔面積が蛍光体の赤，緑，青の各色毎に緑＞赤，青＞赤である関係を持たせることにより、同一の駆動条件にてＲ（赤），Ｇ（緑），Ｂ（青）それぞれの蛍光体の発光特性に対応する最適な陰極電流が得られる。
【００１３】
なお、本発明は、上記構成及び後述する各実施例の構成に限定されるものではなく、本発明の技術思想を逸脱することなく種々の変更が可能であることは言うまでもない。
【００１４】
【発明の実施の形態】
以下、本発明の実施の形態について、実施例の図面を参照して詳細に説明する。図１は、本発明による画像表示装置の一実施例を模式的に説明する一画素近傍の拡大断面図である。図１において、ＳＵＢ１はガラスなどを好適する絶縁性基板からなる背面パネルＰＮ１を構成する背面基板であり、この背面基板ＳＵＢ１の内面には、一方向ｘ（ここでは、水平方向）に延在し、他方向ｙ（ここでは、垂直方向）に並設され、かつ電子源Ｋを有する複数の陰極配線ＣＬが形成されている。また、この背面パネルＰＮ１には、陰極配線ＣＬと非接触状態で交差し、かつｙ方向に延在し、ｘ方向に並設される陰極配線ＣＬとの交差部に画素を形成して電子源Ｋから放出する電子Ｅを前面パネルＰＮ２側に通過させる複数の電子通過孔ＥＨＬを有する互いに独立した複数の帯状電極素子（メタルリボングリッド）ＭＲＧを平行配置した制御電極が配置されている。
【００１５】
なお、この陰極配線ＣＬは、例えば銀などを含む導電性ペーストを印刷などによりパターニングし、焼成して形成されている。また、これらの陰極配線ＣＬの交差部分の上面（前面基板ＳＵＢ２側）に配置される電子源Ｋは、例えばＣＮＴ（カーボンナノチューブ）が用いられており、一例としてＡｇ−Ｂ−ＣＮＴペーストを印刷などによりパターニングさせ、焼成して形成されている。また、帯状電極素子ＭＲＧは、アルミニウム系または鉄系などの金属材料からなる例えば０．０５ｍｍ程度の薄板をフォトリソグラフィ法によるエッチング加工により多数のストライプ状の薄板に円形状の開孔径φＧ（ｍｍ）の電子通過孔が多数形成されて構成されている。
【００１６】
一方、背面パネルＰＮ１に対してｚ方向に図示しない枠体により所定の間隔を有して前面パネルＰＮ２が貼り合わされている。前面パネルＰＮ２は、ガラスなどの透光性絶縁基板からなる前面基板ＳＵＢ２の内面にブラックマトリクスＢＭで区画された蛍光体ＰＨＳと陽極ＡＤＥとが形成されており、背面パネルＰＮ１と前面パネルＰＮ２との間は所定の間隔に保持され、真空封止されて構成されている。
【００１７】
このような構成において、陰極配線ＣＬと帯状電極素子ＭＲＧと陽極ＡＤＥとの間に所定の電位差を与えて電子源Ｋから電子Ｅを放出させるダイオード動作を行う。これによって電子放出駆動させることにより、陰極配線ＣＬ上に形成され電子源Ｋから放出された電子Ｅは、帯状電極素子ＭＲＧの円形状の各電子通過孔ＥＨＬを通過して陽極ＡＤＥに指向され、蛍光体ＰＨＳを励起させて所定の波長で発光させる。この画素を二次元配置して前面パネルＰＮ２に表示領域が形成されて画像が表示される。
【００１８】
図２は、図１に示した画像表示装置の一画素付近の構成の具体的な説明図であり、背面基板側の構成のみを示す。図２（ａ）は平面図を、図２（ｂ）は図２（ａ）のＡ−Ａ´線に沿った断面図をそれぞれ示し、前述した図１と同一部分には同一符号を付し、その説明は省略する。図２において、背面基板ＳＵＢ１に設置される陰極配線ＣＬは、蛍光体ＰＨＳが発光する赤（Ｒ），緑（Ｇ），青（Ｂ）の３色に対応する陰極配線ＣＬ−Ｒ，陰極配線ＣＬ−Ｇ，陰極配線ＣＬ−Ｂで構成されている。図１に示した一画素は、図２ではカラー画素の一副画素（サブピクセル）に相当する。単に画素と表記する場合は、特に画素と副画素とに区別を要しない場合である。
【００１９】
これらの陰極配線ＣＬ−Ｒ，陰極配線ＣＬ−Ｇ，陰極配線ＣＬ−Ｂと交差する帯状電極素子ＭＲＧは、陰極配線ＣＬ−Ｒ，陰極配線ＣＬ−Ｇ，陰極配線ＣＬ−Ｂに対して共通であり、各陰極配線ＣＬ−Ｒ，陰極配線ＣＬ−Ｇ，陰極配線ＣＬ−Ｂに有する電子源Ｋに対応して１個または複数の電子通過孔ＥＨＬがｘ方向に形成されている。ここでは各４個として説明する。図２では、電子源Ｋが帯状電極素子ＭＲＧの電子通過孔ＥＨＬに対応して個別に配置されているが、これに限らずに各陰極配線ＣＬ−Ｒ，陰極配線ＣＬ−Ｇ，陰極配線ＣＬ−Ｂ毎に対応する帯状電極素子ＭＲＧの電子通過孔ＥＨＬに共通に配置される場合もある。
【００２０】
また、図１に示す制御電極を構成する帯状電極素子ＭＲＧに形成される円形状の各電子通過孔ＥＨＬは、蛍光体ＰＨＳの赤（Ｒ）色発光に対応する電子通過孔ＥＨＬＲの開孔径をφＧＲとし、同様に緑（Ｇ）色発光に対応する電子通過孔ＥＨＬＧの開孔径をφＧＧとし、さらに青（Ｂ）色発光に対応する電子通過孔ＥＨＬＢの開孔径をφＧＢとしたときに赤（Ｒ），緑（Ｇ），青（Ｂ）の各色毎に対応する開孔径の大きさがそれぞれφＧＧ＞φＧＲ、φＧＢ＞φＧＲとなる関係を有して形成されている。すなわち、蛍光体ＰＨＳの緑（Ｇ）色発光に対応する電子通過孔ＥＨＬＧの開孔面積が赤（Ｒ）色発光に対応する電子通過孔ＥＨＬＲの開孔面積よりも大きく、さらに青（Ｂ）色発光に対応する電子通過孔ＥＨＬＢの開孔面積が赤（Ｒ）色発光に対応する電子通過孔ＥＨＬＲの開孔面積よりも大きくして形成されている。
【００２１】
この帯状電極素子ＭＲＧは、アルミニウム系または鉄系の薄板からなるウエブ状であり、電子通過孔ＥＨＬとともに脚部ＬＥＧがエッチング加工により形成されている。この脚部ＬＥＧは背面基板ＳＵＢ１側に突出し、当該背面基板ＳＵＢ１に接着剤ＦＸにより固定配置されている。なお、接着剤ＦＸを用いずに直接背面基板ＳＵＢ１に当接させても良い。この場合、帯状電極素子ＭＲＧと前面基板との間に介挿する図示しない間隔保持部材で背面基板ＳＵＢ１に押圧されて所定の位置に保持される。接着剤ＦＸを用いた場合も同様に間隔保持部材で背面基板ＳＵＢ１に押圧される。図２中に示した各部分の寸法は図１に示したもので対応し、Ｌは一カラー画素のｙ方向寸法であり、副画素にｙ方向はＬ／３である。
【００２２】
次に図１に示した画像表示装置に駆動について説明する。駆動方式としては、帯状電極素子ＭＲＧ側に走査パルスを入力し、陰極配線ＣＬ側に表示用の信号パルスを供給して駆動することが一般的に行われている。このときの駆動条件としては、蛍光体ＰＨＳの白色輝度最大時を基準として陰極電流の可変またはフレーム当りの発光時間の可変により中間調を与える。また、光の波長に対する比視感度は図３に示すように約５５０ｎｍ近傍で一番高くなるので、人間に目の感度は緑（Ｇ）に対して最も高くなる。
【００２３】
また、陰極線管に代表される電子管に用いられるＲ（赤），Ｇ（緑），Ｂ（青）それぞれの蛍光体の発光効率は、Ｒ（赤）：Ｇ（緑）：Ｂ（青）≒１．６：６．５：１である（ＣＤＴ実績値）。また、色温度９３００Ｋにおける各色の輝度比は、Ｒ（赤）：Ｇ（緑）：Ｂ（青）＝２．１：６．７：１である（ＣＤＴ実績値）。このため、色温度９３００Ｋのとき、一般的に陰極線管の陰極電流比は、Ｒ（赤）：Ｇ（緑）：Ｂ（青）＝１．２：１．０：１．０となる（ＣＤＴ実績値）。このために蛍光体のＲ（赤），Ｇ（緑），Ｂ（青）対応する帯状電極素子ＭＲＧの電子通過孔ＥＨＬの開孔径を同一寸法で構成とすると、陰極電流比に応じて各陰極配線ＣＬ−Ｒ，陰極配線ＣＬ−Ｇ，陰極配線ＣＬ−Ｂ毎に駆動電圧及び最大パルス幅などの駆動条件を可変する必要がある。
【００２４】
また、このとき、最大電流を必要とするのは蛍光体ＰＨＳのＲ（赤）色発光に対応する陰極配線ＣＬ−Ｒであるため、比視感度が最も優れたＧ（緑）色発光に対応する陰極配線ＣＬ−Ｇは駆動条件から得られる最大電流を取り出すことができない。
【００２５】
図４は、駆動条件を一定としたときの帯状電極素子ＭＲＧに形成する電子通過孔ＥＨＬの開孔面積に対する陰極電流の変化を示したものである。図４に示すように駆動条件を一定としても、帯状電極素子ＭＲＧの各電子通過孔ＥＨＬＲ，ＥＨＬＧ，ＥＨＬＢの開孔面積を調整することによって陰極電流量を変えることができる。
【００２６】
具体的には、帯状電極素子ＭＲＧの電子通過孔ＥＨＬの開孔面積が小さいほど大電流が得られるので、電子通過孔ＥＨＬの各開孔面積が蛍光体ＰＨＳの緑（Ｇ）色発光に対応する電子通過孔ＥＨＬＧを赤（Ｒ）色発光に対応する電子通過孔ＥＨＬＲの開孔面積よりも大きく、さらに青（Ｂ）色発光に対応する電子通過孔ＥＨＬＢを赤（Ｒ）色発光に対応する電子通過孔ＥＨＬＲよりも大きくして形成する。すなわち、赤（Ｒ）色発光に対応する電子通過孔ＥＨＬＲの開孔面積が緑（Ｇ）色発光に対応する電子通過孔ＥＨＬＧの開孔面積及び青（Ｂ）色発光に対応する電子通過孔ＥＨＬＢの開孔面積よりも小さく形成する。
【００２７】
このような構成によれば、帯状電極素子ＭＲＧの電子通過孔ＥＨＬが蛍光体ＰＨＳの緑（Ｇ）色発光に対応する電子通過孔ＥＨＬＧの開孔面積＞赤（Ｒ）色発光に対応する電子通過孔ＥＨＬＲの開孔面積、さらに青（Ｂ）色発光に対応する電子通過孔ＥＨＬＢの開孔面積＞赤（Ｒ）色発光に対応する電子通過孔ＥＨＬＲの開孔面積となる関係を有することにより、赤（Ｒ）色発光に対応する電子通過孔ＥＨＬＲの開孔面積が他の緑（Ｇ）色発光及び青（Ｂ）色発光の電子通過孔ＥＨＬＧ，ＥＨＬＢの開孔面積に比較して小さくなるので、大容量の陰極電流が得られることになる。
【００２８】
これによって各開孔面積が各発光色に対応して最適化されることになり、蛍光体ＰＨＳのＲ（赤），Ｇ（緑），Ｂ（青）各色毎に比視感度／蛍光体ＰＨＳの発光効率に対応した適切な陰極電流が得られる。このために蛍光体ＰＨＳの赤（Ｒ），緑（Ｇ），青（Ｂ）各色毎に駆動条件を変更させることなく、単一の駆動条件で各色毎に適切な陰極電流が得られる。したがって、蛍光体ＰＨＳのＲ（赤），Ｇ（緑），Ｂ（青）各色毎に比視感度／蛍光体ＰＨＳの発光効率に対応した適切な陰極電流が得られる。
【００２９】
図５は、本発明による画像表示装置の他の実施例を模式的に説明する一画素近傍の拡大断面図であり、前述した図１と同一部分には同一符号を付し、その説明は省略する。図５において、図１と異なる点は、帯状電極素子ＭＲＧの上方には、帯状電極素子ＭＲＧに形成されている各電子通過孔ＥＨＬと対向する部位に前面パネルＰＮ２側に電子Ｅを加速させる複数の電子通過孔ＡＨＬを有する加速電極ＡＣＣが帯状電極素子ＭＲＧの電子通過孔ＥＨＬと同軸上に一致させて所定の間隔を有して平行配列されている。
【００３０】
なお、この加速電極ＡＣＣは、例えば、導電性金属板材の薄板を電子通過孔ＡＨＬとともに図示しない脚部がエッチング加工により形成されており、この脚部を背面基板ＳＵＢ１側に突出させ、当該背面基板ＳＵＢ１に図示しない接着剤により固定配置されている。なお、接着剤を用いずに直接背面基板ＳＵＢ１に当接させても良い。この場合は、加速電極ＡＣＣと背面基板ＳＵＢとの間に介挿する図示しない間隔保持部材で背面基板ＳＵＢ１に押圧されて所定の位置に保持される。接着剤を用いた場合も同様に間隔保持部材で背面基板ＳＵＢ１に押圧されて固定配置される。
【００３１】
このような構成においては、制御電極を構成する帯状電極素子ＭＲＧを電子源Ｋに対して低電位とし、加速電極ＡＣＣに印加する電位によって電子源Ｋから電子Ｅを放出させるトライオード動作を行う。これによって電子源Ｋから放出された電子Ｅは、帯状電極素子ＭＲＧの各電子通過孔ＥＨＬによりその電子量が制御されて通過し、さらに加速電極ＡＣＣの電子通過孔ＡＨＬを通過するとともに、この電子通過孔ＡＨＬにより加速され、電子ビームＥＢとして陽極ＡＤＥに指向され、蛍光体ＰＨＳを励起して所定の波長で発光させる。この画素を二次元配置して前面パネルＰＮ２に表示領域が形成されて画像が表示される。
【００３２】
このような構成においても、帯状電極素子ＭＲＧの各電子通過孔ＥＨＬが蛍光体ＰＨＳの緑（Ｇ）色発光に対応する電子通過孔ＥＨＬＧの開孔面積＞赤（Ｒ）色発光に対応する電子通過孔ＥＨＬＲの開孔面積、さらに青（Ｂ）色発光に対応する電子通過孔ＥＨＬＢの開孔面積＞赤（Ｒ）色発光に対応する電子通過孔ＥＨＬＲの開孔面積となる関係を持たせて各開孔面積を最適化することにより、蛍光体ＰＨＳのＲ（赤），Ｇ（緑），Ｂ（青）各色毎に比視感度／蛍光体ＰＨＳの発光効率に対応した適切な陰極電流が得られるので、前述した実施例と全く同様の作用効果が得られる。
【００３３】
なお、前述した各実施例においては、帯状電極素子ＭＲＧ及び加速電極ＡＣＣの各電子通過孔の開孔形状を円形状とした場合について説明したが、本発明はこれに限定されるものではなく、長円形状または矩形状または各種の形状に形成しても、前述と全く同様の効果が得られることは言うまでもない。
【００３４】
また、前述した実施例においては、画像表示装置としてフィールドエミッションパネルに適用した場合について説明したが、本発明はこれに限定されるものではなく、フィールドエミッションパネルを用いたディスプレイ，受像機などに適用しても前述と全く同様に効果が得られることは勿論である。
【００３５】
【発明の効果】
以上、説明したように本発明による画像表示装置によれば、蛍光体の赤，緑，青の各色毎に対応する帯状電極素子の各電子通過孔の開孔面積が蛍光体の緑色発光に対応する電子通過孔の開孔を赤色発光に対応する電子通過孔の開孔よりも大きく、さらに青色発光に対応する電子通過孔の開孔を赤色発光に対応する電子通過孔の開孔よりも大きくして形成することにより、単一の駆動条件で各色毎の蛍光体の発光特性に対応する最適な陰極電流が得られるので、各色毎に異なっていた陰極電流の調整が不要もしくは簡便となる。さらに、蛍光体の各色毎にほぼ同一構造の駆動回路を使用できるので、電子源から真空中への電子放出を利用した表示装置のスループットを大幅に向上させることができる。また、画素を構成する赤，緑，青の各サブピクセルの駆動条件を最適化できるので、蛍光体の各色毎に発光輝度の制御が可能となるとともに、発光輝度を向上させることもできるなどの極めて優れた効果が得られる。
【図面の簡単な説明】
【図１】本発明による画像表示装置の一実施例を模式的に説明する一画素近傍の拡大断面図である。
【図２】図１に示す画像表示装置の一画素付近の構成を具体的に説明する図である。
【図３】光の波長に対する比視感度を示す図である。
【図４】電子通過孔の開孔面積に対応する陰極電流の変化を示す図である。
【図５】本発明による画像表示装置の他の実施例を模式的に説明する一画素近傍の拡大断面図である。
【符号の説明】
ＰＮ１  背面パネル
ＰＮ２  前面パネル
ＳＵＢ１  背面基板
ＳＵＢ２  前面基板
ＣＬ  陰極配線
ＣＬ−Ｒ  陰極配線
ＣＬ−Ｇ  陰極配線
ＣＬ−Ｂ  陰極配線
Ｋ  電子源
Ｅ  電子
ＥＢ  電子ビーム
ＭＲＧ  制御電極を構成する帯状電極素子
ＥＨＬ  電子通過孔
ＥＨＬＲ  電子通過孔
ＥＨＬＧ  電子通過孔
ＥＨＬＢ  電子通過孔
ＡＣＣ  加速電極
ＡＨＬ  電子通過孔
ＡＤＥ  陽極
ＢＭ  ブラックマトリクス
ＰＨＳ  蛍光体
ＬＥＧ  脚部
ＦＸ  接着剤
【図１】
2004253300.tif 000003
【図２】
2004253300.tif 000004
【図３】
2004253300.tif 000005
【図４】
2004253300.tif 000006
【図５】
2004253300.tif 000007